(57)【要約】【課題】隅瓦２３，２４、谷瓦２９，３０、半瓦３５，３６等の施工コストを低減し、かつこれらの瓦の施工に伴って発生する瓦廃材を少なくできる瓦廃材のリサイクルシステムを提供すること。【解決方法】瓦廃材のリサイクルシステムを平板瓦２０の一部を切除して所要形状のプレカット瓦２３，２４，２９，３０，３５，３６を作製するプレカット工程と、仕切り板１６ａで内部を複数数の収納スペースに区画した通函１６の各収納スペースにプレカット瓦２３，２４，２９，３０，３５，３６を収納して施工現場１５へ配送する配送工程と、施工現場１５でプレカット瓦２３，２４，２９，３０，３５，３６を切除してその形状寸法を施工個所に合わせて微調整する現場調整工程と、現場調整工程で生じたプレカット瓦の廃材４０を前記通函１６に入れて回収する廃材回収工程と、回収した廃材をシャモットに粉砕して瓦原料に混入する再生工程から構成する。  【選択図】図１
2005220552.tif 000002
【特許請求の範囲】
【請求項１】
平板瓦の一部を切除して所要形状のプレカット瓦を作製するプレカット工程と、仕切り板で内部を複数数の収納スペースに区画した通函の各収納スペースにプレカット瓦を収納して施工現場へ配送する配送工程と、施工現場でプレカット瓦を切除してその形状寸法を施工個所に合わせて微調整する現場調整工程と、現場調整工程で生じたプレカット瓦の廃材を前記通函に入れて回収する廃材回収工程と、回収した廃材をシャモットに粉砕して瓦原料に混入する再生工程を備えたことを特徴とする瓦廃材のリサイクルシステム。
【発明の詳細な説明】
【技術分野】
【０００１】
本発明は、瓦廃材のリサイクルシステムに関し、より詳しくは屋根の谷部に葺く谷瓦、隅棟に葺く隅瓦、棟際や平行壁際に葺く半瓦等の施工において発生する瓦廃材のリサイクルシステムに関する。
【背景技術】
【０００２】
従来、谷瓦、隅瓦、半瓦等は現場で平板瓦の一部を切除して所要形状に加工したものを用いている。
【特許文献１】引用なし
【発明の開示】
【発明が解決しようとする課題】
【０００３】
施工現場で平板瓦の一部を切除して谷瓦や隅瓦、半瓦に加工する場合、大量の瓦廃材が発生するため、廃棄処理に多大のコストがかかり、施工コストの高騰の一因となっている。
【０００４】
本発明は上記の課題に鑑みて為されたものであって、谷瓦、隅瓦、半瓦等の施工コストを低減し、かつこれらの瓦の施工に伴って発生する瓦廃材を少なくできる瓦廃材のリサイクルシステムを提供することを目的とする。
【課題を解決するための手段】
【０００５】
本発明は平板瓦の一部を切除して所要形状のプレカット瓦を作製するプレカット工程と、仕切り板で内部を複数数の収納スペースに区画した通函の各収納スペースにプレカット瓦を収納して施工現場へ配送する配送工程と、施工現場でプレカット瓦を切除してその形状寸法を施工個所に合わせて微調整する現場調整工程と、現場調整工程で生じたプレカット瓦の廃材を前記通函に入れて回収する廃材回収工程と、回収した廃材をシャモットに粉砕して瓦原料に混入する再生工程を備えたことを特徴とする。
【発明の効果】
【０００６】
本発明によれば、平板瓦を施工現場へ配送する前に予め製造工場等で切除して谷瓦、隅瓦、半瓦等のプレカット瓦に加工し、施工現場ではプレカット瓦を微調整加工するだけで済ますので、施工現場で発生する瓦廃材を少なくできる。従って廃材の廃棄処理コストを低減できる。
プレカット瓦の配送に通函を利用するので、運搬時のプレカット瓦の破損を防止できる。
プレカット瓦の微調整加工時に発生する瓦廃材を通函に入れて回収するので、回収作業が簡単、確実にできる。
さらに、回収した廃材をシャモットに粉砕して瓦として再利用するので、瓦原料資源の節約に資することができる。
【発明を実施するための最良の形態】
【０００７】
瓦製造工場において平板瓦の一部を切除して所要形状のプレカット瓦を作製し、仕切り板で内部を複数数の収納スペースに区画した通函の各収納スペースにプレカット瓦を収納して施工業者へ出荷し、施工業者が施工現場へ運んでプレカット瓦を切除し、その形状寸法を施工個所に合わせて微調整した上で葺設する。そして、現場調整工程で生じたプレカット瓦の廃材を通函に入れて回収し、これを運送業者が製造工場に戻す。製造工場でプレカット瓦製作時に発生する瓦廃材と施工現場で発生した瓦廃材は原料加工工場において粉砕してシャモット化し、さらにこのシャモットが粘度配合メーカーにより瓦原料に混入される。
【実施例１】
【０００８】
本発明の実施例を図面に基づき説明する。図１は本実施例に係る瓦廃材のリサイクルシステムの概略構成を示す。同システムは瓦製造工場１０、屋根施工業者１１、運送業者１２、原料加工工場１３、粘土配合メーカー１４、施工現場１５と通函１６によって構成される。
【０００９】
瓦製造工場１０では陶器製平板瓦及び種々のプレカット瓦が製作される。図２にプレカット隅瓦の製作方法を示す。陶器製平板瓦２０の一部を破断線２１，２２から切除してプレカット７０％隅瓦２３とプレカット５０％隅瓦２４に加工する。このとき瓦廃材２５，２６が発生する。図３にプレカット谷瓦の製作方法を示す。陶器製平板瓦２０の一部を破断線２７，２８から切除してプレカット５０％谷瓦２９とプレカット７０％谷瓦３０に加工する。このとき瓦廃材３１，３２が発生する。
図４にプレカット半瓦の製作方法を示す。陶器製平板瓦２０を破断線３３，３４から切除してプレカット７０％半瓦３５とプレカット５０％半瓦３６に加工する。このとき瓦廃材３７，３８が発生する。
【００１０】
瓦製造工場１０では、屋根施工業者１１の注文に応じて施工現場１５で必要とされる各種プレカット瓦２３，２４，２９，３０，３５，３６を図５に示す通函１６に入れ、運送業者１２に依頼して施工業者１１へ、もしくは施工現場１５へ配送する。この通函１６の内部は仕切板１６ａで複数の収納スペースに区切られており、それぞれにプレカット瓦２３，２４，２９，３０，３５，３６を立てかけて収納する。そして、通函１６は図６に示すようにパレット１７に例えば、縦２列横２列上下３段に積み重ねて配送される。
【００１１】
施工業者１１は通函１６で配送されてきたプレカット瓦２３，２４，２９，３０，３５，３６を施工現場で部分的に切除して施工箇所に適合するように微調整したうえで、葺設する。例えば、図２に示すプレカット５０％隅瓦２４を斜辺に沿って破断線３９から部分的に切除する。そして、微調整加工で生じた瓦廃材４０は図７に示すように、通函１６に入れて回収し、運送業者１２によって瓦製造工場１０に戻される。
【００１２】
瓦製造工場１０では、陶器製平板瓦２０の不良品や破損瓦等の陶器瓦と、プレカット瓦製作過程で発生した瓦廃材２５，２６，３１，３２，３７，３８と、通函１６で回収した瓦廃材４０を原料加工工場１３に送り、これらの瓦廃材を粉砕してシャモット化し、粘土配合メーカー１４へ送る。
【００１３】
粘度配合メーカー１４では瓦の原料粘度にシャモットを例えば３％程度混入し、陶器瓦の原料として瓦製造工場１０へ納入する。
【産業上の利用可能性】
【００１４】
本発明は陶器製瓦の廃材のリサイクルに利用できる。
【図面の簡単な説明】
【００１５】
【図１】本発明の瓦廃材のリサイクル方法の概要を示す説明図である。
【図２】隅瓦の製作方法を示す説明図である。
【図３】谷瓦の製作方法を示す説明図である。
【図４】半瓦の製作方法を示す説明図である。
【図５】通函の使用方法を示す説明図である。
【図６】通函の積載方法を示す説明図である。
【図７】通函の他の使用方法を示す説明図である。
【符号の説明】
【００１６】
１０…瓦製造工場、１１…施工業者、１２…運送業者、１３…原料加工工場
、１４…粘度配合メーカー、１５…施工現場、１６…通函、２３，２４…隅瓦、２９，３０…谷瓦、３５，３６…半瓦、２５，２６，３１，３２，３７，３８，４０…瓦廃材。
【図１】
2005220552.tif 000003
【図２】
2005220552.tif 000004
【図３】
2005220552.tif 000005
【図４】
2005220552.tif 000006
【図５】
2005220552.tif 000007
【図６】
2005220552.tif 000008
【図７】
2005220552.tif 000009